(57)【要約】【課題】笠部材の内部があたかも透明材で満たされている印象を看者に与えることのできる発光装置を提供する。【解決手段】発光部２を覆い、所定方向について一端から他端へ向かって拡がり、他端に開口部３１を有し、外面及び内面が湾曲し所定方向について一端から他端へ向かって肉厚が増すよう形成された透明な笠部材３を備え、外部から笠部材３の内面形状を視認し難いようにした。【選択図】図１
2009129546.tif 000002
【特許請求の範囲】
【請求項１】
発光部と、
前記発光部を覆い、所定方向について一端から他端へ向かって拡がり、他端に開口部を有し、外面及び内面が湾曲し前記所定方向について一端から他端へ向かって肉厚が増すよう形成された透明な笠部材と、を備える発光装置。
【請求項２】
前記笠部材は、お椀状に形成される請求項１に記載の発光装置。
【請求項３】
前記笠部材は、前記外面及び前記内面が断面放物線状に形成されている請求項２に記載の発光装置。
【請求項４】
前記笠部材の他端を閉塞する透光性の閉塞部材を有する請求項３に記載の発光装置。
【請求項５】
前記閉塞部材は、前記笠部材に対して着脱自在である請求項４に記載の発光装置。
【請求項６】
前記発光部は、
透明な導光体と、
前記導光体に埋設される発光素子と、を有する請求項５に記載の発光装置。
【請求項７】
前記発光素子に電力を供給する配線を備え、
前記発光部は、前記配線に対して着脱自在である請求項６に記載の発光装置。
【請求項８】
前記導光体は、多面体である請求項７に記載の発光装置。
【発明の詳細な説明】
【技術分野】
【０００１】
本発明は、発光部及びこの発光部を覆う笠部材を有する発光装置に関する。
【背景技術】
【０００２】
従来、この種の発光装置として、略おわん状に開口した透明材料製の笠部材としてのセードの内側に光源を有してなる照明器具が知られている（例えば、特許文献１参照）。特許文献１によれば、この照明器具は、セードの内側に、光源からの光を入射させるセードの軸方向と略平行の入射面と、入射面に直交し連設させたセード外面からの反射光を出射させる内出射面と、をもった複数の内リブを並設させる、と記載されている。そして、セードの外側には、入射面からの光を略全反射させるよう外面に略沿う傾斜反射面と、傾斜反射面に連設させたセードの軸方向と略直交するその傾斜反射面からの反射光をセードの軸方向に向け出射させる外出射面とをもった複数の外リブを並設させる、と記載されている。
【特許文献１】特開２００３−１３２７１８号公報
【発明の開示】
【発明が解決しようとする課題】
【０００３】
ところで、特許文献１に記載の照明器具では、笠部材の内面に上記内リブを形成するとともに外面に上記外リブを形成しているため、外部から視認した際に笠部材の内面が目立ち、看者は笠部材の内部が空洞であることを一見して認識することができる。
【０００４】
本発明の課題は、笠部材の内部があたかも透明材で満たされている印象を看者に与えることのできる発光装置を提供することである。
【課題を解決するための手段】
【０００５】
本発明によれば、発光部と、前記発光部を覆い、所定方向について一端から他端へ向かって拡がり、他端に開口部を有し、外面及び内面が湾曲し前記所定方向について一端から他端へ向かって肉厚が増すよう形成された透明な笠部材と、を備える発光装置が提供される。
【０００６】
上記発光装置において、前記笠部材は、お椀状に形成されることが好ましい。
【０００７】
上記発光装置において、前記笠部材は、前記外面及び前記内面が断面放物線状に形成されていることが好ましい。
【０００８】
上記発光装置において、前記笠部材の他端を閉塞する透光性の閉塞部材を有することが好ましい。
【０００９】
上記発光装置において、前記閉塞部材は、前記笠部材に対して着脱自在であることが好ましい。
【００１０】
上記発光装置において、前記発光部は、透明な導光体と、前記導光体に埋設される発光素子と、を有することが好ましい。
【００１１】
上記発光装置において、前記発光素子に電力を供給する配線を備え、前記発光部は、前記配線に対して着脱自在であることが好ましい。
【００１２】
上記発光装置において、前記導光体は、多面体であることが好ましい。
【発明の効果】
【００１３】
本発明によれば、笠部材の内部があたかも透明材で満たされている印象を看者に与えることができる。
【発明を実施するための最良の形態】
【００１４】
図１から図４は本発明の一実施形態を示し、図１は発光装置の外観斜視図である。尚、説明の都合上、各図において笠部材の内面を実線で示しているが、屈折等の作用により、実際には外部から笠部材の内面を視認し難いようになっている。
【００１５】
図１に示すように、発光装置１は、ＬＥＤ２１を有する発光部２と、この発光部２を覆い上端から下端へ向かって拡がる透明な笠部材３と、を備えている。笠部材３は他端側に形成される開口部３１を有し、発光装置１はこの開口部３１を閉塞する閉塞部材４を備えている。また、発光装置１は、ＬＥＤ素子２１に電力を供給するための配線５と、配線５を覆い笠部材３の配線孔３２に挿入されるガイド部材６とを備えている。
【００１６】
図２は発光装置の分解斜視図である。
図２に示すように、発光部２は、ＬＥＤ２１と、このＬＥＤ２１が出射した光を外部へ導く導光体２２と、を有する。導光体２２は、透明材からなり、ＬＥＤ素子２１の樹脂封止部を受容する受容穴２３を有する。導光体２１は、複数の頂点が中心部から一定の距離となる多面体であり、上端に受容穴２３が形成される。本実施形態においては、導光体２２は、全ての面が正三角形をなし、各面を上下、左右及び前後の各方向について対称に配置した４８面体である。導光体２２は、例えば、アクリル樹脂等の透明な樹脂、ガラス等の透明な無機材料等により作製することができる。本実施形態においては、導光体２２は、屈折率が１．４〜１．７である。尚、導光体２２の形状は任意であるが、球体に対して、所定のカットを施したものが好ましい。
【００１７】
ＬＥＤ２１は、いわゆる砲弾型のＬＥＤであり、所定方向へ平行に延びる一対のリード電極２４と、各リード電極２４の先端に形成されＬＥＤ素子が封止される樹脂封止部２５と、を有する。本実施形態においては、ＬＥＤ素子は、例えばＧａＡｓ系の材料からなり、橙色の光を発する。尚、ＬＥＤ素子の材料及び発光色はＧａＡｓ系及び橙色に限定されるものではなく、例えば材料がＧａＮ系で発光色が青色等であってもよい。青色のＬＥＤ素子を用いた場合に、樹脂封止部２５に蛍光体を含有させることによって、白色のＬＥＤ２１とすることもできる。
【００１８】
図２に示すように、笠部材３は、開口部３１を下方としたお椀状に形成され、上部にガイド部材６を挿通し上下に延びる配線孔３２を有する。笠部材３は、例えば、アクリル樹脂等の透明な樹脂、ガラス等の透明な無機材料等により作製することができる。本実施形態においては、笠部材３は、屈折率が１．４〜１．７である。また、笠部材３の内部は、屈折率が１．０の空気により満たされている。開口部３１は平面視にて円形を呈し、配線孔３２は上面視にて円形を呈する。笠部材３は、内面及び外面が湾曲して形成され、具体的に上端における肉厚は１９ｍｍ、下端における肉厚は２ｍｍとなっている。このように、笠部材３は、上端側から下端側へ向かって肉厚が薄くなるよう形成されている。笠部材３の内面下端側には、閉塞部材４と係合する複数の係合穴３３が形成される。本実施形態においては、笠部材３の内面に計３つの係合穴３３が周方向に等間隔に形成されている。
【００１９】
図２に示すように、閉塞部材４は、円板状に形成され、透光性を有し、白色を呈する。閉塞部材４は、例えば、アクリル樹脂等の半透明な白色の樹脂、ガラス等の半透明な白色の無機材料等により作製することができる。閉塞部材４が透光性を有することから、看者は、発光部２から発せられた光が閉塞部材４に映し出される像を、閉塞部材４を通じて視認することができる。閉塞部材４の外周には、周方向に３つの突出部４１が形成され、各突出部４１が笠部材３の係合穴３３にそれぞれ係合する。
【００２０】
図３は発光装置の縦断面図である。
図３に示すように、配線５は、下端にＬＥＤ２１の各電極リード２４の端部と接続するコネクタ部５１を有する。また、配線５は、上端に外部電源と接続されるコネクタ部（図示せず）を有する。配線５は、例えばステンレス鋼からなる被覆材５２により被覆され、被覆材５２により剛性及び強度が付与されている。本実施形態においては、配線５は、上端に家屋の天井面に配置されたソケットと係合し、発光装置１を天井に吊設するための吊設具として機能している。
【００２１】
図３に示すように、ガイド部材６は、円筒状に形成され笠部材３の配線孔３２に挿通される円筒部６１と、円筒部６１の上端と連続的に形成され外面が上方へ向かって縮径する上部６２と、円筒部６１の下端から周方向外側へ延びる鍔部６３と、を有する。ガイド部材６は、例えばＡＢＳ樹脂（Acrylonitrile Butadiene Styrene共重合合成樹脂）からなり、黒色を呈する。円筒部６１は、その外径が笠部材３の配線孔３２の内径と等しく、その上下方向寸法が配線孔３２の上下方向寸法と等しく形成される。上部６２は、笠部材３から上方へ向かって突出する。鍔部６３は、笠部材３の内面上部と当接し、これによりガイド部材６は笠部材３に対して位置決めされる。
【００２２】
ガイド部材６と発光部２の間にはスペーサ７が設けられる。スペーサ７は、ガイド部材６の鍔部６３の下面に当接するとともに、導光体２２の上部と当接する。これにより、導光体２２がスペーサ７を介して笠部材３に対して位置決めされる。スペーサ７は、正十二角筒状に形成され、導光体２２から上方へ突出するＬＥＤの各電極リード２４を覆う。尚、スペーサ７は、正十二角筒以外の角筒状であってもよいし、円筒状であってもよい。また、本実施形態においては、スペーサ７は透明材からなるが、スペーサ７は着色された材料であってもよい。スペーサ７は、例えばアクリル樹脂等の樹脂、例えばガラス等の無機材料等によって作製される。
【００２３】
以上のように構成された発光装置１では、お椀状に形成された笠部材３が上端側から下端側に向かって肉厚が薄くなるよう形成されていることから、看者が笠部材３を外部から視認した際に、笠部材３の内面形状を視認し難い。これは、笠部材３の空洞部分の気体よりも笠部材３の屈折率が高いことによる。これにより、発光装置１を視認する角度にもよるが、視認する角度によっては、あたかも笠部材３の内部が透明材で満たされている印象を看者に与えることができる。このように、笠部材３の内部が透明材で満たされている印象を看者に与えるので、笠部材３の肉厚が一定である場合に比べ、発光装置１の高級感、無垢感等を飛躍的に向上させることができる。また、笠部材３の内部を空洞とすることにより、発光装置１の軽量化及びコスト低減を図ることができる。
【００２４】
また、本実施形態においては、笠部材３の内面及び外面は、ともに放物線形状であるので比較的形状が近似し、さらに表面形状が全体的に急変することなく滑らかに形成されているので、笠部材３の内面がより視認し難いものとなっている。
【００２５】
また、本実施形態の発光装置１では、配線５を通じてＬＥＤ２１に電圧を印加すると、導光体２２の内側にてＬＥＤ２１が発光する。ＬＥＤ２１から出射した光は、導光体２２の表面にて反射及び屈折した後、導光体２２から笠部材３の内部に放射される。導光体２２から放射された光のうち、笠部材３の表面へ入射するものは、透明な笠部材３を通じて発光装置１の外部へ放射される。笠部材３を通じて発光装置１の外部へ放射される当該光は、導光体２２の表面にて規則的に反射及び屈折しているので、外部から視認する看者に導光体２２そのものが面状に発光している美しい印象を与える。
【００２６】
また、導光体２２から放射された光のうち、閉塞部材４の上面へ入射するものは、一部が閉塞部材４の上面にて反射し、透明な笠部材３を通じて発光装置１の外部へ放射される。これにより、外部から視認する看者は、閉塞部材４の上面に映し出された光の像を笠部材３を通じて認識することができる。また、閉塞部材４が透光性を有することから、外部から視認する看者は、閉塞部材４の下面側から閉塞部材４に映し出された光の像を認識することができる。
【００２７】
図４は発光部が発光している状態の発光装置の下面図である。
図４に発光部２の発光時に閉塞部材４の下面側から視認される光の像の一例を示す。尚、この光の像は、導光体２２の表面のカット形状、導光体２２の屈折率、笠部材３の内部に充填される気体の屈折率、閉塞部材４の屈折率等により変化する。図４に示すように、閉塞部材４に映し出される像は、導光体２２の表面にて反射及び屈折した規則的な幾何学的な像であるので、看者に美しい印象を与えることができる。
【００２８】
また、本実施形態の発光装置１によれば、スペーサ７が透明であることから、導光体２２が笠部材３の内部で浮いているような印象を看者に与えることができる。ここで、スペーサ７が多角筒状に形成されているので、看者は、スペーサ７の内側に位置するＬＥＤをスペーサ７を通じて視認し難い。
【００２９】
また、本実施形態の発光装置１によれば、発光部２が配線５に対して着脱自在に設けられているので、導光体２２の形状、材質等が異なる発光部２に交換することにより、閉塞部材４に映し出される光の像を変更することができるし、ＬＥＤ２１の発光色、発光強度等が異なる発光部２に交換することにより、閉塞部材４に映し出される光の色、強度等を変更することができ、実用に際して極めて便利である。
【００３０】
また、本実施形態の発光装置１によれば、閉塞部材４が笠部材３に対して着脱自在に設けられているので、発光部２の組み付け、交換等を簡単容易に行うことができるし、笠部材３内部、発光部２等の清掃も簡単容易に行うことができ、メンテナンス性が良好である。
【００３１】
尚、前記実施形態においては、笠部材３が全体にわたって透明であるものを示したが、例えば図５に示すように、笠部材３の一部の領域に遮光領域１３４を設けてもよい。図５に示す発光装置１０１の遮光領域１３４は、例えば、笠部材３の内面と外面の少なくとも一方に、塗料を塗布すること、金属メッキを施すこと、粗面加工を施すこと等により設けることができる。
【００３２】
また、前記実施形態においては、笠部材３がお椀状に形成されたものを示したが、笠部材３の形状はこれに限定されるものではない。笠部材は、所定方向について一端から他端へ向かって拡がり、他端に開口部を有し、外面及び内面が湾曲し前記所定方向について一端から他端へ向かって肉厚が増すよう形成されていれば、その形状は任意である。
【００３３】
また、前記実施形態においては、閉塞部材４が白色で透光性の有するものを示したが、閉塞部材４は透光性を有していれば白色以外を呈していても前記実施形態と同様の作用効果を得ることができる。さらに、閉塞部材４を透明としてもよいし、閉塞部材４を設けない構成としてもよい。
【００３４】
また、前記実施形態においては、導光体２２が多面体であるものを示したが、例えば図６に示すように、発光部２０２の導光体２２２を球体としてもよい。また、配線５、ガイド部材６及びスペーサ７の形状も任意であり、その他、具体的な細部構造等についても適宜に変更可能であることは勿論である。
【図面の簡単な説明】
【００３５】
【図１】本発明の一実施形態を示す光源装置の外観斜視図である。
【図２】光源装置の分解斜視図である。
【図３】光源装置の縦断面図である。
【図４】発光部が発光している状態の発光装置の下面図である。
【図５】変形例を示す光源装置の外観斜視図である。
【図６】変形例を示す光源装置の外観斜視図である。
【符号の説明】
【００３６】
１      発光装置
２      発光部
３      笠部材
４      閉塞部材
５      配線
６      ガイド部材
７      スペーサ
２１    ＬＥＤ
２２    導光体
２３    受容穴
２４    電極リード
２５    樹脂封止部
３１    開口部
３２    配線孔
３３    係合穴
４１    突出部
５１    コネクタ
５２    被覆材
６１    円筒部
６２    上部
６３    鍔部
１０１  発光装置
１０３  笠部材
１３４  遮光領域
２０１  発光装置
２０２  発光部
２２２  導光体
【図１】
2009129546.tif 000003
【図２】
2009129546.tif 000004
【図３】
2009129546.tif 000005
【図４】
2009129546.tif 000006
【図５】
2009129546.tif 000007
【図６】
2009129546.tif 000008